(57)【要約】【課題】セキュリティを向上させた管理システム、色管理システム、色管理サーバ及びプログラムを提供する。【解決手段】管理を行う第１のクライアントの情報が登録される第１の管理サーバと、管理を行う第２のクライアントの情報が登録される第２の管理サーバと、第２の管理サーバに第１のクライアントの情報が登録されると、第１の管理サーバから第２の管理サーバに管理されているデータを参照可能にする制御手段と、を有する。【選択図】図３
2008059434.tif 000002
【特許請求の範囲】
【請求項１】
管理を行う第１のクライアントの情報が登録される第１の管理サーバと、
管理を行う第２のクライアントの情報が登録される第２の管理サーバと、
第２の管理サーバに前記第１のクライアントの情報が登録されると、第１の管理サーバから第２の管理サーバに管理されているデータを参照可能にする制御手段と、
を有することを特徴とする管理システム。
【請求項２】
管理を行う第１のクライアントの情報が登録される第１の色管理サーバと、
管理を行う第２のクライアントの情報が登録される第２の色管理サーバと、
第２の色管理サーバに前記第１のクライアントの情報が登録されると、第１の色管理サーバから第２の色管理サーバに管理されているデータを参照可能にする制御手段と、
を有することを特徴とする色管理システム。
【請求項３】
出力物の測色を行う測色計を備える前記第１のクライアントと、
出力物の測色を行う測色計を備える前記第２のクライアントと、
を有し、
前記第１の色管理サーバは、前記第１のクライアントの測色計により測定されたデータを管理し、
前記第２の色管理サーバは、前記第２のクライアントの測色計により測定されたデータを管理し、
前記制御手段は、前記第２の色管理サーバに前記第１のクライアントの情報が登録されると、前記第１のクライアントから前記第１の色管理サーバを経由して前記第２の色管理サーバに管理されているデータを参照可能にすることを特徴とする請求項２に記載の色管理システム。
【請求項４】
前記第２の色管理サーバは、参照許可クライアント情報を有し、
前記制御手段は、前記第１の色管理サーバに前記第１のクライアントの情報が登録された際に、前記第１のクライアントの情報を前記第１の色管理サーバから前記第２の色管理サーバに送信し、前記第２の色管理サーバの前記参照許可クライアント情報の中に当該第１のクライアントの情報に対応するものが存在するか否かを判断し、存在する場合に参照許可情報を第２の色管理サーバから前記第１の色管理サーバに送信し、当該参照許可情報を前記第１の色管理サーバに記憶させることを特徴とする請求項３に記載の色管理システム。
【請求項５】
前記第１のクライアントは、色管理サーバを選択する選択手段を有し、
前記制御手段は、選択手段により第１の色管理サーバが選択されると、第１の色管理サーバのデータを前記第１の色管理サーバから前記第１のクライアントに送信し、選択手段により第２の色管理サーバが選択されると、前記参照可能の状態であれば第２の色管理サーバのデータを前記第２の色管理サーバから前記第１のクライアントに送信することを特徴とする請求項３又は４に記載の色管理システム。
【請求項６】
前記第１のクライアントの情報は、データ取得希望サーバ情報を含み、
前記制御手段は、データ取得希望サーバ情報が前記第２の色管理サーバであれば、前記第１のクライアントの情報を前記第１の色管理サーバから前記第２の色管理サーバに送信し、前記第１のクライアントの情報を前記第２のクライアントの情報として前記第２の色管理サーバに登録することを特徴とする請求項３に記載の色管理システム。
【請求項７】
前記制御手段は、前記第２のクライアントから前記第２の色管理サーバに測定データがアップロードされると、前記第２の色管理サーバは当該測定データを登録するとともに前記第２のクライアントに対応する前記第２のクライアントの情報が前記第１の色管理サーバから送信され登録されたものかを判断し、そうであれば当該測定データを前記第２の色管理サーバから前記第１の色管理サーバに転送し、当該測定データを前記第１の色管理サーバに記憶させることを特徴とする請求項６に記載の色管理システム。
【請求項８】
自身の管理するクライアント以外のクライアントに対して参照を許可するための参照許可クライアント情報が登録される記憶部と、
他の色管理サーバからのクライアント情報が入力される入力部と、
記憶部に登録されている前記参照許可クライアント情報の中に入力部から入力されたクライアント情報に対応するものが存在するか否かを判断し、存在する場合に参照許可情報を前記他の色管理サーバに送信する制御部と、
を有することを特徴とする色管理サーバ。
【請求項９】
他の色管理サーバからの、自身の管理するクライアントに関するクライアント情報の入力、及び前記クライアントからの測定データの入力、がされる入力部と、
前記測定データが入力されると、前記クライアント情報を入力した前記他の色管理サーバに前記測定データを転送する制御部と、
を有することを特徴とする色管理サーバ。
【請求項１０】
自身の管理するクライアント以外のクライアントに対して参照を許可するための参照許可クライアント情報を登録する登録ステップと、
他の色管理サーバからのクライアント情報が入力される入力ステップと、
登録ステップにより登録された前記参照許可クライアント情報の中に入力ステップにより入力されたクライアント情報に対応するものが存在するか否かを判断する判断ステップと、
判断ステップにより前記参照許可クライアント情報の中に前記クライアント情報に対応するものが存在する場合に参照許可情報を前記他の色管理サーバに送信する送信ステップと、
をコンピュータに実行させることを特徴とするプログラム。
【請求項１１】
他の色管理サーバにより、自身の管理するクライアントに関するクライアント情報が入力される第１の入力ステップと、
前記クライアントからの測定データが入力がされる第２の入力ステップと、
第２の入力ステップにより測定データが入力されると、第１の入力ステップにより入力された前記クライアント情報を入力した前記他の色管理サーバに前記測定データを転送する転送ステップと、
をコンピュータに実行させることを特徴とするプログラム。
【発明の詳細な説明】
【技術分野】
【０００１】
本発明は、管理システム、色管理システム、色管理サーバ及びプログラムに関する。
【背景技術】
【０００２】
各拠点の出力装置からの出力物の色管理を行うために、各拠点に測色計を配置するとともに各拠点の測色計をインターネットを介して色管理サーバに接続し、当該色管理サーバにより各拠点の測色計で得られた測定値を一元管理する色管理システムが知られている（例えば、特許文献１参照）。
【０００３】
特許文献１では、各拠点からはブラウザによりインターネット経由で色管理サーバにアクセス可能となっている。
【特許文献１】特開２００５−９１３２７号公報
【発明の開示】
【発明が解決しようとする課題】
【０００４】
特許文献１のように、ブラウザによりインターネット経由で色管理サーバにアクセス可能にすると、誰でも簡単にアクセスできるというメリットがある反面、見せたくないデータを見られてしまう虞があるというセキュリティの問題がある。
【０００５】
例えば、取引関係にある複数の会社が各拠点として色管理サーバに登録されており、これらの会社のうちいくつかの会社が共同してある印刷業務を行う場合がある。この場合、当該印刷業務に参加しなかった会社も色管理サーバに登録されていると、当該印刷業務に参加しなかった会社の人が色管理サーバにアクセスして、当該印刷業務に関するデータを閲覧してしまう可能性がある。
【０００６】
本発明は、以上のような問題に鑑みてなされたものであり、セキュリティを向上させた管理システム、色管理システム、色管理サーバ及びプログラムを提供することを目的としている。
【課題を解決するための手段】
【０００７】
本発明の管理システムは、管理を行う第１のクライアントの情報が登録される第１の管理サーバと、管理を行う第２のクライアントの情報が登録される第２の管理サーバと、第２の管理サーバに前記第１のクライアントの情報が登録されると、第１の管理サーバから第２の管理サーバに管理されているデータを参照可能にする制御手段と、を有することを特徴としている。
【０００８】
本発明の色管理システムは、管理を行う第１のクライアントの情報が登録される第１の色管理サーバと、管理を行う第２のクライアントの情報が登録される第２の色管理サーバと、第２の色管理サーバに前記第１のクライアントの情報が登録されると、第１の色管理サーバから第２の色管理サーバに管理されているデータを参照可能にする制御手段と、を有することを特徴としている。
【０００９】
本発明の色管理サーバは、自身の管理するクライアント以外のクライアントに対して参照を許可するための参照許可クライアント情報が登録される記憶部と、他の色管理サーバからのクライアント情報が入力される入力部と、記憶部に登録されている前記参照許可クライアント情報の中に入力部から入力されたクライアント情報に対応するものが存在するか否かを判断し、存在する場合に参照許可情報を前記他の色管理サーバに送信する制御部と、を有することを特徴としている。
【００１０】
また、本発明の色管理サーバは、他の色管理サーバからの、自身の管理するクライアントに関するクライアント情報の入力、及び前記クライアントからの測定データの入力、がされる入力部と、前記測定データが入力されると、前記クライアント情報を入力した前記他の色管理サーバに前記測定データを転送する制御部と、を有することを特徴としている。
【００１１】
本発明のプログラムは、自身の管理するクライアント以外のクライアントに対して参照を許可するための参照許可クライアント情報を登録する登録ステップと、他の色管理サーバからのクライアント情報が入力される入力ステップと、登録ステップにより登録された前記参照許可クライアント情報の中に入力ステップにより入力されたクライアント情報に対応するものが存在するか否かを判断する判断ステップと、判断ステップにより前記参照許可クライアント情報の中に前記クライアント情報に対応するものが存在する場合に参照許可情報を前記他の色管理サーバに送信する送信ステップと、をコンピュータに実行させることを特徴としている。
【００１２】
また、本発明のプログラムは、他の色管理サーバにより、自身の管理するクライアントに関するクライアント情報が入力される第１の入力ステップと、前記クライアントからの測定データが入力がされる第２の入力ステップと、第２の入力ステップにより測定データが入力されると、第１の入力ステップにより入力された前記クライアント情報を入力した前記他の色管理サーバに前記測定データを転送する転送ステップと、をコンピュータに実行させることを特徴としている。
【発明の効果】
【００１３】
本発明によれば、管理サーバを複数設けて分散させることにより、他の管理サーバに属するクライアントからは容易にデータを参照できなくなりセキュリティが向上する。また、データの参照が必要な他の管理サーバに属するクライアントに対しては、登録することにより参照できるようにしたので、利便性を低下させることもない。
【発明を実施するための最良の形態】
【００１４】
本発明を以下の実施形態に基づいて説明するが、当該実施形態に限定するものではない。
【００１５】
（第１の実施形態）
＜システム構成＞
図１は、第１の実施形態に係る色管理システムのシステム構成図である。複数の拠点がインターネット等のネットワークＮに接続されている。図１では、理解しやすいように、代表として拠点Ａ及び拠点Ｂのみを示しているが、通常さらに多くの拠点が接続される。拠点Ａ及び拠点Ｂは、例えば、それぞれ異なる会社を想定することができる。
【００１６】
本実施形態では、それぞれの拠点Ａ及び拠点Ｂは、それぞれ色管理サーバＡ及び色管理サーバＢを有している。また、それぞれの色管理サーバＡ及び色管理サーバＢには、それぞれのクライアントＡ１及びクライアントＢ１がネットワークＮを介してアクセス可能に接続されている。図１では、理解しやすいように、１つの色管理サーバに対して１つのクライアント（色管理サーバＡに対してクライアントＡ１、色管理サーバＢに対してクライアントＢ１）のみを示しているが、通常それぞれの色管理サーバに対して複数のクライアントが接続される。
【００１７】
それぞれの色管理サーバＡ及び色管理サーバＢは、それぞれのクライアントＡ１及びクライアントＢ１の保有する測色計で得られた測定値を一元管理し、色管理を行う。
【００１８】
このように拠点毎に色管理サーバを設けデータを管理すると、例えば、拠点毎にファイアウォールを構築することにより、他の拠点からのデータの閲覧を制限することが容易になりセキュリティが向上する。
【００１９】
反面、例えば、拠点Ａのクライアントと拠点Ｂのクライアントとが共同して印刷業務を行う場合において、クライアントＡ１が色管理サーバＢにアクセスしてクライアントＢ１のデータを参照することが難しくなり、これに対応する必要がある。当該対応に関する制御を以下に説明する。
【００２０】
＜制御構成＞
図２は、第１の実施形態に係る色管理システムの制御構成図である。本発明にあまり関係しない構成要素は省略している。
【００２１】
色管理サーバＡは、プログラムに従って色管理サーバＡの各種制御を実行するＣＰＵ１０を中心に、バス１１により、ＲＯＭ１２、ＲＡＭ１３、ＨＤＤ１４、入力部１５、表示部１６、測色計１７、通信部１８等が相互に接続されている。
【００２２】
ＲＯＭ１２は、各種プログラムやデータを記憶しており、ＣＰＵ１０がこれらプログラムやデータを利用して色管理サーバＡの制御を実行する。
【００２３】
ＲＡＭ１３は、ＣＰＵ１０によってワークエリアとして利用され、ＣＰＵ１０が制御を実行する際に必要なプログラムやデータを一時的に記憶する。
【００２４】
ＨＤＤ１４は、色管理サーバＡに登録されているクライアント情報、測色計１７により測定した測定値、通信部１８を介して外部から送信されてきたデータ、等の各種データを記憶する。
【００２５】
入力部１５は、各種データを入力したり、各種指示を入力したりする。
【００２６】
表示部１６は、各種データを表示したりする。
【００２７】
測色計１７は、測色計補正用のカラーチャート等の測定を行う。
【００２８】
通信部１８は、他の色管理サーバやクライアントからの各種データを受信する。
【００２９】
クライアントＡ１は、プログラムに従ってクライアントＡ１の各種制御を実行するＣＰＵ２０を中心に、バス２１により、ＲＯＭ２２、ＲＡＭ２３、ＨＤＤ２４、入力部２５、表示部２６、測色計２７、通信部２８等が相互に接続されている。
【００３０】
ＲＯＭ２２は、各種プログラムやデータを記憶しており、ＣＰＵ２０がこれらプログラムやデータを利用してクライアントＡ１の制御を実行する。
【００３１】
ＲＡＭ２３は、ＣＰＵ２０によってワークエリアとして利用され、ＣＰＵ２０が制御を実行する際に必要なプログラムやデータを一時的に記憶する。
【００３２】
ＨＤＤ２４は、測色計２７により測定した測定値、通信部２８を介して外部から送信されてきたデータ、等の各種データを記憶する。
【００３３】
入力部２５は、各種データを入力したり、各種指示を入力したりする。
【００３４】
表示部２６は、各種データを表示したりする。
【００３５】
測色計２７は、測色計補正用のカラーチャート、出力物に形成されたカラーチャートに対応するカラーパターン等の測定を行う。
【００３６】
通信部２８は、自分の拠点の色管理サーバ、他の拠点の色管理サーバからの各種データを受信する。
【００３７】
色管理サーバＢは、プログラムに従って色管理サーバＢの各種制御を実行するＣＰＵ３０を中心に、バス３１により、ＲＯＭ３２、ＲＡＭ３３、ＨＤＤ３４、入力部３５、表示部３６、測色計３７、通信部３８等が相互に接続されている。各構成要素の詳細については、色管理サーバＡと同様の為、説明を省略する。ＣＰＵ３０は、本発明の制御部に相当する。ＨＤＤ３４は、本発明の記憶部に相当する。通信部３８は、本発明の入力部に相当する。
【００３８】
クライアントＢ１は、プログラムに従ってクライアントＢ１の各種制御を実行するＣＰＵ４０を中心に、バス４１により、ＲＯＭ４２、ＲＡＭ４３、ＨＤＤ４４、入力部４５、表示部４６、測色計４７、通信部４８等が相互に接続されている。各構成要素の詳細については、クライアントＡ１と同様の為、説明を省略する。
【００３９】
＜制御フロー＞
［クライアント情報登録処理］
図３は、第１の実施形態に係る色管理サーバ間でのクライアント情報登録処理のフロー図である。理解しやすいように、一例として、色管理サーバＡ（本発明の第１の色管理サーバに相当）と色管理サーバＢ（本発明の第２の色管理サーバに相当）との間での登録処理の場合について示す。
【００４０】
クライアント情報登録処理は、色管理サーバＡのＣＰＵ１０と色管理サーバＢのＣＰＵ３０とが協働して処理を行うことにより実行される。色管理サーバＡのＣＰＵ１０は、ＲＯＭ１２に記憶されているプログラムに基づいて処理を行い、色管理サーバＢのＣＰＵ３０は、ＲＯＭ３２に記憶されているプログラムに基づいて処理を行う。色管理サーバＡのＣＰＵ１０、色管理サーバＢのＣＰＵ３０及びクライアントＡ１（本発明の第１のクライアントに相当）のＣＰＵ２０が協働して本発明の制御手段を構成する。
【００４１】
図３（ａ）に色管理サーバＡのＣＰＵ１０のフローを示し、図３（ｂ）に色管理サーバＢのＣＰＵ３０のフローを示す。
【００４２】
最初に、図３（ａ）における色管理サーバＡのＣＰＵ１０のフローについて説明する。
【００４３】
まず、ＣＰＵ１０は、クライアント情報が入力されたか否かを判断する（ステップＳ１１）。当該クライアント情報の入力は、例えば、ＣＰＵ１０が表示部１６にクライアント情報の入力画面を表示し、色管理サーバＡの管理者が入力部１５によりクライアント情報を入力することにより行われる。
【００４４】
クライアント情報としては、クライアントＩＤ、パスワード、クライアントが属する色管理サーバ（本実施形態では、色管理サーバＡ）、データの参照を希望する色管理サーバ（本実施形態では、色管理サーバＢ）、を含む情報である。
【００４５】
クライアント情報が入力されたと判断すると（ステップＳ１１；Ｙｅｓ）、ＣＰＵ１０は、クライアント情報をＨＤＤ１４に登録する（ステップＳ１２）。
【００４６】
クライアント情報が入力されていないと判断すると（ステップＳ１１；Ｎｏ）、ＣＰＵ１０は、フローを終了する。
【００４７】
次に、ＣＰＵ１０は、ステップＳ１２で登録されたクライアント情報内のデータの参照を希望する色管理サーバ（参照サーバ）が色管理サーバＢであるか否かを判断する（ステップＳ１３）。
【００４８】
クライアント情報内の参照サーバが色管理サーバＢであると判断すると（ステップＳ１３；Ｙｅｓ）、ＣＰＵ１０は、色管理サーバＢへクライアント情報を送信する（ステップＳ１４）。
【００４９】
クライアント情報内の参照サーバが色管理サーバＢでないと判断すると（ステップＳ１３；Ｎｏ）、ＣＰＵ１０は、フローを終了する。
【００５０】
次に、先に、図３（ｂ）における色管理サーバＢのＣＰＵ３０のフローについて説明する。
【００５１】
まず、ＣＰＵ３０は、参照を許可するクライアント情報（参照許可クライアント情報）が入力されたか否かを判断する（ステップＳ２１）。当該参照許可クライアント情報の入力は、例えば、ＣＰＵ３０が表示部３６に参照許可クライアント情報の入力画面を表示し、色管理サーバＢの管理者が入力部３５により参照許可クライアント情報を入力することにより行われる。
【００５２】
参照許可クライアント情報としては、クライアントＩＤ、パスワード、参照を許可する色管理サーバ（本実施形態では、色管理サーバＡ）、を含む情報である。
【００５３】
参照許可クライアント情報が入力されたと判断すると（ステップＳ２１；Ｙｅｓ）、ＣＰＵ３０は、参照許可クライアント情報をＨＤＤ３４に登録する（ステップＳ２２）。
【００５４】
参照許可クライアント情報が入力されていないと判断すると（ステップＳ２１；Ｎｏ）、ＣＰＵ３０は、ステップＳ２３に進む。
【００５５】
ステップＳ２３において、ＣＰＵ３０は、色管理サーバＡからクライアント情報を受信したか否かを判断する。請求項８に記載の発明の入力ステップに相当する。
【００５６】
色管理サーバＡからクライアント情報を受信したと判断すると（ステップＳ２３；Ｙｅｓ）、ＣＰＵ３０は、受信したクライアント情報に対応する参照許可クライアント情報が存在するか否かを判断する（ステップＳ２４）。請求項８に記載の発明の判断ステップに相当する。具体的には、例えば、受信したクライアント情報に含まれるクライアントＩＤと同一のクライアントＩＤを有する参照許可クライアント情報が存在するか否かを判断し、存在すれば当該参照許可クライアント情報に含まれる参照を許可する色管理サーバが色管理サーバＡであるか否かを判断する。そして、受信したクライアント情報に含まれるクライアントＩＤと同一のクライアントＩＤを有する参照許可クライアント情報が存在し、且つ当該参照許可クライアント情報に含まれる参照を許可する色管理サーバが色管理サーバＡであれば、受信したクライアント情報に対応する参照許可クライアント情報が存在すると判断する。
【００５７】
ステップＳ２３において、色管理サーバＡからクライアント情報を受信していないと判断すると（ステップＳ２３；Ｎｏ）、ＣＰＵ３０は、フローを終了する。
【００５８】
ステップＳ２４において、受信したクライアント情報に対応する参照許可クライアント情報が存在すると判断すると（ステップＳ２４；Ｙｅｓ）、ＣＰＵ３０は、当該クライアント情報に対応するクライアントに対して参照許可を与え（ステップＳ２５）、参照許可情報を色管理サーバＡに送信する（ステップＳ２６）。請求項８に記載の発明の送信ステップに相当する。
【００５９】
ステップＳ２４において、受信したクライアント情報に対応する参照許可クライアント情報が存在しないと判断すると（ステップＳ２４；Ｎｏ）、ＣＰＵ３０は、フローを終了する。
【００６０】
図３（ａ）に戻って、ステップＳ１５において、ＣＰＵ１０は、色管理サーバＢから参照許可情報を受信したか否かを判断する。
【００６１】
色管理サーバＢから参照許可情報を受信したと判断すると（ステップＳ１５；Ｙｅｓ）、ＣＰＵ１０は、ＨＤＤ１４に登録されているクライアント情報に当該参照許可情報を追加記憶する（ステップＳ１６）。
【００６２】
色管理サーバＢから参照許可情報を受信しなかったと判断すると（ステップＳ１５；Ｎｏ）、ＣＰＵ１０は、フローを終了する。
【００６３】
［色管理サーバ参照処理］
図４は、第１の実施形態に係るクライアントからの色管理サーバ参照処理のフロー図である。理解しやすいように、一例として、クライアントＡ１が色管理サーバＡ又は色管理サーバＢを参照する場合について示す。
【００６４】
まず、クライアントＡ１は、ブラウザを起動し自分が登録されている色管理サーバＡのＵＲＬを入力することにより、色管理サーバＡのログイン画面のＷｅｂページを表示した後、クライアントＩＤ及びパスワードを入力して色管理サーバＡに対してログイン要求を送信する（ステップＳ３１）。
【００６５】
次に、当該ログイン要求を受信した色管理サーバＡは、クライアントＩＤ及びパスワードを照合し、ログイン可否を判定した後、ログイン可であればログイン後のＷｅｂページを、ログイン不可であればログイン不可のＷｅｂページをクライアントＡ１に送信する（ステップＳ３２）。ログイン後のＷｅｂページには、参照を希望する色管理サーバを選択するための選択部が設けられ、当該選択部には、ログインしたクライアントに対して参照が許可されている色管理サーバが選択可能となっている。選択部には、例えば、プルダウンメニュー形式で選択可能な色管理サーバが表示される。図３（ａ）のステップＳ１６で記憶された参照許可情報に基づいて、選択可能な色管理サーバの表示が可能となる。ここで、色管理サーバＢは、選択可能となっているものとする。本発明の選択手段に相当する。
【００６６】
次に、ログインが許可されると、クライアントＡ１が、参照を希望する色管理サーバをＷｅｂページ上で選択することにより、色管理サーバ選択情報が色管理サーバＡに送信される（ステップＳ３３）。
【００６７】
次に、当該色管理サーバ選択情報を受信した色管理サーバＡは、色管理サーバ選択情報に基づき色管理サーバＡあるいは色管理サーバＢのいずれの色管理サーバが選択されているのかを判断する（ステップＳ３４）。
【００６８】
色管理サーバＡが選択されていると判断すると（ステップＳ３４；Ｙｅｓ）、色管理サーバＡは、参照データをクライアントＡ１に送信する（ステップＳ３５）。
【００６９】
色管理サーバＢが選択されていると判断すると（ステップＳ３４；Ｎｏ）、色管理サーバＡは、色管理サーバＢに参照要求を送信する（ステップＳ３６）。
【００７０】
次に、当該参照要求を受信した色管理サーバＢは、参照データをクライアントＡ１に送信する（ステップＳ３７）。
【００７１】
参照データとしては、例えば、色管理サーバＢで管理しているクライアントＢ１を含む各クライアントで測定した濃度値、Ｌ＊ａ＊ｂ＊表色系におけるＬ＊値、ａ＊値、ｂ＊値等の測定データの他、測定データから計算して求めた色差ΔＥ、ΔＬ＊、Δａ＊、Δｂ＊、ドットゲイン値、トラッピング値等の管理データである。
【００７２】
クライアントＡ１は、これらの参照データを確認し、許容範囲内で確実に管理が行われているかを把握することができる。もし、許容範囲を外れた異常状態で放置されたままになっているような場合には、例えば、該当するクライアントに連絡を取り、印刷機のキャリブレーションを実行させるなどの対策を取ることができる。
【００７３】
以上のように、第１の実施形態によれば、色管理サーバを複数設けて分散させることにより、他の色管理サーバに属するクライアントからは容易にデータを参照できなくなりセキュリティが向上する。また、データの参照が必要な他の色管理サーバ（色管理サーバＡ）に属するクライアント（クライアントＡ１）に対しては、登録（色管理サーバＢでの登録）することにより参照できるようにしたので、利便性を低下させることもない。
【００７４】
さらに、第１の実施形態によれば、データの参照が必要な他の色管理サーバ（色管理サーバＡ）に属するクライアント（クライアントＡ１）を登録（色管理サーバＢでの登録）する処理において、参照許可を判断し参照許可であれば参照許可情報を当該他の色管理サーバ（色管理サーバＡ）に送信するようにしたので、当該他の色管理サーバ（色管理サーバＡ）では、クライアント（クライアントＡ１）が参照を許可されている色管理サーバを把握することができる。そのため、クライアント（クライアントＡ１）において、色管理サーバを選択する際に、色管理サーバの候補としてネットワークＮに接続されている全ての色管理サーバを表示するのではなく参照許可されているもののみを表示することができ、利便性が向上する。
【００７５】
（第２の実施形態）
＜システム構成＞
図１に示す第１の実施形態のシステム構成と同様であり、説明は省略する。
【００７６】
＜制御構成＞
図２に示す第１の実施形態のシステム構成と同様であり、説明は省略する。
【００７７】
＜制御フロー＞
［クライアント情報登録処理］
図５は、第２の実施形態に係る色管理サーバ間でのクライアント情報登録処理のフロー図である。理解しやすいように、一例として、色管理サーバＡ（本発明の第２の色管理サーバに相当）と色管理サーバＢ（本発明の第１の色管理サーバに相当）との間での登録処理の場合について示す。クライアント情報登録処理は、色管理サーバＡのＣＰＵ１０と色管理サーバＢのＣＰＵ３０とが協働して処理を行うことにより実行される。色管理サーバＡのＣＰＵ１０は、ＲＯＭ１２に記憶されているプログラムに基づいて処理を行い、色管理サーバＢのＣＰＵ２０は、ＲＯＭ２２に記憶されているプログラムに基づいて処理を行う。色管理サーバＡのＣＰＵ１０、色管理サーバＢのＣＰＵ３０及びクライアントＢ１（本発明の第１のクライアントに相当）のＣＰＵ４０が協働して本発明の制御手段を構成する。
【００７８】
図５（ａ）に色管理サーバＡのＣＰＵ１０のフローを示し、図５（ｂ）に色管理サーバＢのＣＰＵ３０のフローを示す。
【００７９】
最初に、図５（ａ）における色管理サーバＡのＣＰＵ１０のフローについて説明する。
【００８０】
まず、ＣＰＵ１０は、クライアント情報が入力されたか否かを判断する（ステップＳ４１）。当該クライアント情報の入力は、例えば、ＣＰＵ１０が表示部１６にクライアント情報の入力画面を表示し、色管理サーバＡの管理者が入力部１５によりクライアント情報を入力することにより行われる。
【００８１】
クライアント情報としては、クライアントＩＤ、パスワード、当該色管理サーバ（本実施形態では、色管理サーバＡ）、データの取得を希望する色管理サーバ（本実施形態では、色管理サーバＢ）、を含む情報である。ここでのクライアントＩＤは、データの取得を希望する色管理サーバに属するクライアントのＩＤを想定している。
【００８２】
クライアント情報にデータの取得を希望する色管理サーバの情報が登録されている場合には、クライアント情報を入力したサーバ（本実施形態では、色管理サーバＡ）が上位サーバとなり、データの取得を希望する色管理サーバが下位サーバとなるような上下関係が形成される。
【００８３】
クライアント情報が入力されたと判断すると（ステップＳ４１；Ｙｅｓ）、ＣＰＵ１０は、クライアント情報をＨＤＤ１４に登録する（ステップＳ４２）。
【００８４】
クライアント情報が入力されていないと判断すると（ステップＳ４１；Ｎｏ）、ＣＰＵ１０は、フローを終了する。
【００８５】
次に、ＣＰＵ１０は、ステップＳ４２で登録されたクライアント情報内に、データの取得を希望する色管理サーバ（データ取得希望サーバ）が登録されているか否かを判断する（ステップＳ４３）。本実施形態では、対象となるデータ取得希望サーバは色管理サーバＢである。
【００８６】
クライアント情報内にデータ取得希望サーバ（色管理サーバＢ）が登録されていると判断すると（ステップＳ４３；Ｙｅｓ）、ＣＰＵ１０は、データ取得希望サーバ（色管理サーバＢ）へクライアント情報を送信する（ステップＳ４４）。
【００８７】
クライアント情報内にデータ取得希望サーバ（色管理サーバＢ）が登録されていないと判断すると（ステップＳ４３；Ｎｏ）、ＣＰＵ１０は、フローを終了する。
【００８８】
次に、図５（ｂ）における色管理サーバＢのＣＰＵ３０のフローについて説明する。
【００８９】
まず、ＣＰＵ３０は、色管理サーバＡからクライアント情報を受信したか否かを判断する（ステップＳ５１）。請求項９に記載の発明の第１の入力ステップに相当する。
【００９０】
色管理サーバＡからクライアント情報を受信したと判断すると（ステップＳ５１；Ｙｅｓ）、ＣＰＵ３０は、受信したクライアント情報をデータ取得希望のクライアント情報として登録する（ステップＳ５２）。
【００９１】
色管理サーバＡからクライアント情報を受信していないと判断すると（ステップＳ５１；Ｎｏ）、ＣＰＵ３０は、フローを終了する。
【００９２】
［測定結果登録処理］
図６は、第２の実施形態に係る下位の色管理サーバに属するクライアントの測定結果の登録処理を示すフロー図である。理解しやすいように、一例として、図５における下位サーバである色管理サーバＢに属するクライアントＢ１の測定結果の登録処理について示す。尚、クライアントＢ１は、既に、測色計４７をセットし、色管理サーバＢにログインし、Ｗｅｂページ上で測定ツールを起動して測定を行っているものとする。
【００９３】
まず、クライアントＢ１は、測定結果をクライアントＢ１が属する色管理サーバＢにアップロードする（ステップＳ６１）。請求項９に記載の発明の第２の入力ステップに相当する。
【００９４】
次に、測定結果を受信した色管理サーバＢは、当該測定結果をＨＤＤ３４に登録する（ステップＳ６２）。
【００９５】
次に、色管理サーバＢは、クライアントＢ１が上位サーバである色管理サーバＡによりデータ取得希望のクライアントとして登録されたものであるかを判断する（ステップＳ６３）。つまり、図５のステップＳ５１、Ｓ５２により登録されたものであるかを判断する。
【００９６】
クライアントＢ１が上位サーバである色管理サーバＡによりデータ取得希望のクライアントとして登録されたものであると判断すると（ステップＳ６３；Ｙｅｓ）、色管理サーバＢは、色管理サーバＡに測定結果を転送する（ステップＳ６４）。請求項９に記載の発明の転送ステップに相当する。
【００９７】
クライアントＢ１が上位サーバである色管理サーバＡによりデータ取得希望のクライアントとして登録されたものでないと判断すると（ステップＳ６３；Ｎｏ）、色管理サーバＢは、フローを終了する。
【００９８】
次に、ステップＳ６４により測定結果を受信した色管理サーバＡは、当該測定結果をＨＤＤ１４に登録する（ステップＳ６５）。
【００９９】
以上のように、第２の実施形態によれば、色管理サーバを複数設けて分散させることにより、他の色管理サーバに属するクライアントからは容易にデータを参照できなくなりセキュリティが向上する。また、データの参照が必要な他の色管理サーバに属するクライアントに対しては、登録することにより参照できるようにしたので、利便性を低下させることもない。
【０１００】
さらに、第２の実施形態によれば、データの参照が必要な他の色管理サーバ（色管理サーバＢ）に属するクライアント（クライアントＢ１）を登録する手続（色管理サーバＡで色管理サーバＢにデータ取得希望のクライアントとして登録）を利用して、自動的に当該クライアント（クライアントＢ１）の測定データを下位サーバ（色管理サーバＢ）から上位サーバ（色管理サーバＡ）に吸い上げるので、当該クライアント（クライアントＢ１）からの測定データを下位サーバ（色管理サーバＢ）から上位サーバ（色管理サーバＡ）にアップロードする際に下位サーバ（色管理サーバＢ）にて送信先としての上位サーバ（色管理サーバＡ）を指定する必要がなく、利便性が向上する。
【図面の簡単な説明】
【０１０１】
【図１】第１の実施形態に係る色管理システムのシステム構成図である。
【図２】第１の実施形態に係る色管理システムの制御構成図である。
【図３】第１の実施形態に係る色管理サーバ間でのクライアント情報登録処理のフロー図である。
【図４】第１の実施形態に係るクライアントからの色管理サーバ参照処理のフロー図である。
【図５】第２の実施形態に係る色管理サーバ間でのクライアント情報登録処理のフロー図である。
【図６】第２の実施形態に係る下位の色管理サーバに属するクライアントの測定結果の登録処理を示すフロー図である。
【符号の説明】
【０１０２】
１０，２０，３０，４０  ＣＰＵ
１２，２２，３２，４２  ＲＯＭ
１４，２４，３４，４４  ＨＤＤ
１５，２５，３５，４５  入力部
１７，２７，３７，４７  測色計
１８，２８，３８，４８  通信部
Ｎ  ネットワーク
【図１】
2008059434.tif 000003
【図２】
2008059434.tif 000004
【図３】
2008059434.tif 000005
【図４】
2008059434.tif 000006
【図５】
2008059434.tif 000007
【図６】
2008059434.tif 000008